【事件の表示】
　平成　７年特許願第２４２９１９号「液晶表示素子の製造方法」拒絶査定不服審判事件〔平成　８年　７月　２日出願公開、特開平　８−１７１０９０〕について、次のとおり審決する。
【結　論】
　本件審判の請求は、成り立たない。
【理　由】
１．手続の経緯
　本願は、平成７年９月２１日（優先権主張　平成６年１０月１８日）の出願であって、平成１６年６月２５日付で拒絶査定がなされ、これに対し、平成１６年７月３０日付で拒絶査定に対する審判請求がなされるとともに同年８月２７日付で特許法第１７条の２第１項第３号の規定による手続補正がなされたものである。
　
２．平成１６年８月２７日付の手続補正（以下、「本件補正」という。）についての補正却下の決定
［補正却下の決定の結論］
　平成１６年８月２７日付の手続補正を却下する。
［理由］
（１）補正の内容
　本件補正は、特許請求の範囲の請求項１を削除し、請求項２を新たな請求項１として下記のように補正することを含むものである。
「【請求項１】単純マトリックス方式のカラー表示の液晶表示素子の製造方法であって、一方の透明基板面上に透明導電膜を形成する工程と、前記の透明導電膜上にポジタイプのレジストを塗布した後、露光、現像することによって前記の透明導電膜をパターニングする工程と、パターニング後の前記のレジストを剥離せず、更に黒色に着色した樹脂を前記のレジスト間に注入
しレジストと同一面になるように注入高さを揃える
を含むことを特徴とする方法。」
　
　上記補正は、補正前の請求項２の「黒色に着色した樹脂の注入高さ」を限定しようとするものであって、特許請求の範囲の減縮を目的とするものに該当するので、本件補正後の請求項１（以下、「本願補正発明」という。）が特許出願の際独立して特許を受けることができるものであるかについて検討する。
　
（２）刊行物記載の発明
　原審の拒絶理由に引用した刊行物１：特開平５−１７３１１２号公報には、下記の事項が記載されている。
「【請求項１】　ポジ型レジスト膜を用いて透明基板上の透明電極をパタニングした後、残されたポジ型レジスト膜に重ねて有色のレジスト材料を塗布し、前記ポジ型レジストをマスクとして該レジスト材料を透明基板背面から露光し且つ現像する事により透明電極のパタン間に有色のレジスト層からなるブラックマスクを設ける工程を含む事を特徴とする液晶パネルの製造方法。
・・・
【０００１】
【産業上の利用分野】本発明は行列状に配列した画素を有するマトリクスタイプの液晶パネルの製造方法に関する。より詳しくは、個々の画素の間に位置する非画素部を遮光する為に用いられるブラックマトリクスあるいはブラックマスクの形成方法に関する。
・・・
【０００７】
【課題を解決するための手段】上述した従来の技術の課題に鑑み、本発明は工程数の増加を招く事なく、ブラックマスクを透明電極のパタン間に沿って整合的に形成する方法を提供する事を目的とする。この目的を達成する為に講じられた手段を図１に基づいて説明する。図１は本発明にかかるブラックマスク形成方法を示す工程図である。まず、ブラックマスクを形成するに先立って、ガラス基板１等の透明絶縁基板上に、透明電極２をパタニングする。このパタニングでは、例えばガラス基板１の表面にＩＴＯ等からなる透明導電性材料を全面に堆積した後、ポジ型のフォトレジスト即ちポジレジスト３を介して選択的なエッチングを行なう。通常、エッチング処理後ポジレジスト３は除去される。しかしながら、本発明においてはこのポジレジスト３を後工程に利用する為そのまま残す。好ましくは、ポジレジスト３を加熱処理し後の工程で剥離し易い様に焼成する。
【０００８】残されたポジレジスト３に重ねて、黒色顔料を分散したレジスト４あるいは着色感光性樹脂等の有色レジスト材料を塗布する。続いて、ポジレジスト３を遮光マスクとして、塗布された顔料分散レジスト４をガラス基板１の背面から露光する。ポジレジスト３の影になった顔料分散レジスト４の部分は紫外線の照射を受けない一方、隣接する透明電極２のパタン間に位置する顔料分散レジスト４の部分は紫外線照射を受け硬化する。この様に、透明電極２のパタニングに用いられたポジレジスト３が、背面露光を行なう事によりそのまま顔料分散レジスト４に対するフォトマスクになっている。
【０００９】次に、顔料分散レジスト４の現像を行ない未硬化部分を除去して、有色のレジスト層からなるブラックマスク５を形成する。
【００１０】最後に、不要になったポジレジスト３を剥離して、液晶パネル用の一方の基板を完成する。図示しないが、もし必要な場合には液晶パネルを構成する他方の基板についても本発明にかかる方法を用いて透明電極に整合したブラックマスクを形成する事ができる。なお、液晶パネルを組み立てる為には、所定の間隙を介して一対の基板を貼り合わせるとともに、該間隙内に液晶を充填する。
・・・
【００１４】
【実施例】以下図面を参照して本発明の好適な実施例を詳細に説明する。図２は、本発明の要部をなすブラックマスク形成方法の具体例を示す工程図である。ブラックマスクの形成に先立って、まず工程Ｓ１において透明電極のパタニングを行なう。ガラス基板表面に、ＩＴＯ等からなる導電性透明材料をスパッタリングあるいは真空蒸着により成膜する。この上に重ねて、ポジレジスト（例えば東京応化製ＰＭＥＲ）を塗布する。ポジレジストは密着性の点でネガレジストに劣るが、解像度に優れているので高精細なパタニングを行なうのに適している。なお、用いたポジレジストはフェノール樹脂のプレポリマーであるノボラック樹脂にキノンアジド系化合物を感光剤として加えたものであり、１３０℃程度の耐熱性を有する。フォトリソグラフィによりポジレジストをパタニングした後、部分的に露出した透明電極をエッチングにより除去する。通常、不要になったポジレジストは灰化処理されるが、本発明においてはそのまま残される。
・・・
【００１６】次に、工程Ｓ３において、ガラス基板全面に黒色顔料を分散したネガ型のレジスト材料を、スピンコートあるいは印刷等により塗布する。本例においては、顔料分散レジストを用いたが、これに限られるものではなく、感光性及び遮光性を有する有色のレジスト材料を適宜選択する事ができる。なお、ネガ型の感光材料としては例えばアクリル系樹脂やポリイミド系樹脂を用いる事ができる。」
　
　また、図５には、一方のガラス基板６１上に複数の列電極６５と、該列電極間にブラックマスク６７が形成され、他方のガラス基板６２に行電極６６が形成された単純マトリクスタイプの液晶パネルにおいて、前記ブラックマスクが両基板間のスペーサとして用いられていることが見て取れる。
　さらに、図４には、図５と類似の単純マトリクスタイプの液晶パネルにおいて、ブラックマスクの膜厚がスペーサ厚より低く形成されたものが見て取れる。
　
　上記によれば、刊行物１には、
「透明基板の表面にＩＴＯ等からなる透明導電性材料を全面に堆積する工程と、フォトリソグラフィによりポジ型レジスト膜をパタニングした後、部分的に露出した前記透明導電性材料をエッチングで除去することにより透明基板上に透明電極をパタニングする工程と、残されたポジ型レジスト膜に重ねて黒色顔料を分散したレジスト材料をスピンコートにより塗布する工程と、前記ポジ型レジストをマスクとして該レジスト材料を透明基板背面から露光し且つ現像する事により透明電極のパタン間にブラックマスクを設ける工程と、残されたポジレジストを剥離する工程と、を含む単純マトリクスタイプの液晶パネルの製造方法。」（以下、「引用発明」という。）
の発明が記載されている。
　
（３）対比
　本願補正発明と引用発明とを対比する。
（ア）引用発明の「透明基板の表面にＩＴＯ等からなる透明導電性材料を全面に堆積する工程」は、本願補正発明の「一方の透明基板面上に透明導電膜を形成する工程」に相当する。
（イ）引用発明の「フォトリソグラフィによりポジ型レジスト膜をパタニングした後、部分的に露出した前記透明導電性材料をエッチングで除去することにより透明基板上に透明電極をパタニングする工程」は、本願補正発明の「前記の透明導電膜上にポジタイプのレジストを塗布した後、露光、現像することによって前記の透明導電膜をパターニングする工程」に実質的に相当する。
（ウ）レジストは感光性の樹脂であるから、引用発明の「黒色顔料を分散したレジスト材料」は、本願補正発明の「黒色に着色した樹脂」に相当する。
　また、引用発明においては、「黒色顔料を分散したレジスト材料をスピンコートにより塗布」し、「露光し且つ現像する事により透明電極のパタン間にブラックマスクを設ける」のであるから、パタニングされた（透明電極とその上に積層された）ポジ型レジスト間の谷間に黒色顔料を分散したレジスト材料が注入されていることは明らかである。（ちなみに、本願補正明細書の【００２１】および【００２２】には、本願補正発明の実施例として、黒色に着色された熱硬化性の樹脂がスピンコート法で塗布されたことを注入と表現したことが記載されている。）
（エ）本願補正発明の「樹脂の硬化」には、熱硬化、光硬化が含まれ、該光硬化には引用発明の「透明基板背面から露光」するものが含まれることは明らかである。
（オ）引用発明の「透明電極のパタン間にブラックマスクを設ける工程」は、本願補正発明の「パターニングされた透明導電膜の間に黒色ストライプを形成する工程」に相当する。
（カ）単純マトリクスタイプの液晶パネルでカラー表示することは、通常行われていることである。
　
　よって、両者は、
「単純マトリックス方式のカラー表示の液晶表示素子の製造方法であって、一方の透明基板面上に透明導電膜を形成する工程と、前記の透明導電膜上にポジタイプのレジストを塗布した後、露光、現像することによって前記の透明導電膜をパターニングする工程と、パターニング後の前記のレジストを剥離せず、更に黒色に着色した樹脂を前記のレジスト間に注入する工程と、前記樹脂の硬化を行うことにより前記のパターニングされた透明導電膜の間に黒色ストライプを形成する工程と、前記のパターニングされた透明導電膜上に残った前記のレジストの剥離を行う工程と、を含む方法。」
である点で一致し、下記の点で相違する。
　
相違点：
　本願補正発明では、黒色に着色した樹脂を前記のレジスト間に注入する工程が、「レジストと同一面になるように注入高さを揃える」工程をも有するのに対して、引用発明は上記工程を有するものではない点。
　
（４）判断
　上記相違点につき検討する。
　後の工程で除去されるような材料は、材料削減及びエッチングの効率化等の観点から、過剰にならない程度の量にすべきことは当然のことである。
　また、基板の凹部に樹脂材料等を注入し、表面を被覆するものにおいて、過剰の材料をゴムローラ等で除去し、注入高さを揃えることは一般に行われている（例えば、特開平３−２２３８１０号公報３頁右下欄２〜４行参照。）。
　そうしてみると、引用発明において、必要により注入量を増減し、ポジレジストと同一面になるように注入高さを揃えるようにすることは、当業者が容易になし得る程度のことである。
　
　そして、本願補正発明によってもたらされる効果は、引用発明および周知技術から予測し得る程度のものであり、格別とはいえない。
　
　よって、本願補正発明は、引用発明および周知技術に基づいて当業者が容易に発明をすることができたものであるから、特許法第２９条第２項の規定により、特許出願の際独立して特許を受けることができないものである。
　
（５）むすび
　以上のとおり、本件補正は、平成１５年改正前の特許法第１７条の２第５項において準用する同法第１２６条第４項の規定に違反するものであるから、特許法第１５９条第１項で読み替えて準用する特許法第５３条第１項の規定により却下されるべきものである。
　
３．本願発明について
（１）本願発明
　平成１６年８月２７日付の手続補正は上記のとおり却下されたので、本願の請求項に係る発明は、平成１５年１２月２５日付手続補正書によって補正された明細書及び図面の記載からみて、その特許請求の範囲の請求項１〜３に記載された事項によって特定されるものであるところ、請求項１に係る発明は、次のものである。
「【請求項１】単純マトリックス方式のカラー表示の液晶表示素子の製造方法であって、一方の透明基板面上に透明導電膜を形成する工程と、前記の透明導電膜上に、顔料で着色したポジタイプのレジストを塗布した後、露光、現像することによって前記の透明導電膜をパターニングする工程と、パターニング後の前記のレジストを剥離せず、更に黒色に着色したネガタイプのレジストを塗布する工程と、前記のネガタイプのレジストを前記の透明基板を介して背面露光し、現像することによって前記のパターニングされた透明導電膜の間に黒色ストライプを形成する工程と、前記のパターニングされた透明導電膜上に残ったポジタイプのレジストの剥離を行う工程と、を含むことを特徴とする方法。」（以下、「本願発明」という。）
　
（２）引用例記載の発明
　原査定の拒絶理由に引用した、この出願前公知の刊行物１：特開平５−１７３１１２号公報には、上記２．（２）刊行物記載の発明で摘記した事項が記載されている。
　
（３）対比
　本願発明と引用発明とを対比する。
（あ）引用発明の「透明基板の表面にＩＴＯ等からなる透明導電性材料を全面に堆積する工程」は、本願補正発明の「一方の透明基板面上に透明導電膜を形成する工程」に相当する。
（い）引用発明の「フォトリソグラフィによりポジ型レジスト膜をパタニングした後、部分的に露出した前記透明導電性材料をエッチングで除去することにより透明基板上に透明電極をパタニングする工程」は、本願発明の「前記の透明導電膜上にポジタイプのレジストを塗布した後、露光、現像することによって前記の透明導電膜をパターニングする工程」に実質的に相当する。
（う）引用発明の「黒色顔料を分散したレジスト材料」は、本願発明の「黒色に着色したネガタイプのレジスト」に相当する。
（え）引用発明の「透明電極のパタン間にブラックマスクを設ける工程」は、本願発明の「パターニングされた透明導電膜の間に黒色ストライプを形成する工程」に相当する。
（お）単純マトリクスタイプの液晶パネルでカラー表示することは、通常行われていることである。
　
　よって、両者は、
「単純マトリックス方式のカラー表示の液晶表示素子の製造方法であって、一方の透明基板面上に透明導電膜を形成する工程と、前記の透明導電膜上に、ポジタイプのレジストを塗布した後、露光、現像することによって前記の透明導電膜をパターニングする工程と、パターニング後の前記のレジストを剥離せず、更に黒色に着色したネガタイプのレジストを塗布する工程と、前記のネガタイプのレジストを前記の透明基板を介して背面露光し、現像することによって前記のパターニングされた透明導電膜の間に黒色ストライプを形成する工程と、前記のパターニングされた透明導電膜上に残ったポジタイプのレジストの剥離を行う工程と、を含む方法。」
である点で一致し、下記の点で相違する。
　
相違点：
　本願発明は、ポジタイプのレジストが「顔料で着色されている」のに対して、引用発明は、この構成を有しない点。
　
（４）判断
　そこで検討するに、刊行物１の【００１５】には、「続いて、工程Ｓ２においてポジレジストを２４０℃程度で１時間焼成する。この結果、ポジレジストはフェノール樹脂化が進行するとともに、感光基や染料等が炭化するので赤褐色に変色する。」と記載され、引用発明のポジレジストは、少なくとも背面露光前には赤褐色に着色されていることが理解される。
　また、レジストを着色するのに顔料を用いることは、刊行物１にも「黒色顔料を分散したレジスト」と記載されているように周知であるから、引用発明のポジタイプのレジストを顔料でさらに着色しようとすることは当業者が適宜なし得る程度のことである。
　
　そして、本願発明によってもたらされる効果は、引用発明および周知技術から予想し得る程度のものであり、格別とはいえない。
　
　よって、本願発明は、引用発明および周知技術に基づいて当業者が容易に発明をすることができたものである
　
（５）むすび
　以上のとおり、本願発明は、引用発明および周知技術に基づいて当業者が容易に発明をすることができたものであるから、特許法第２９条第２項の規定により特許を受けることができない。
　
　よって、結論のとおり審決する。